(57)【要約】 【課題】  締付片を手袋本体から取り外すときの雑音の発生を防止する。【解決手段】  手を挿入する挿入口４ａと該挿入口に一端が連続するスリット４ｂが形成され面ファスナー６が設けられた手袋本体２と、手袋本体のスリットが形成された部分から突出され面ファスナー７が設けられた締付片３とを設け、一方の面ファスナーに取り付けられる面ファスナー部９ａとマグネット１０とを有する第１の結合体８と、他方の面ファスナーに取り付けられる面ファスナー部１２ａとマグネットに吸着されて結合される磁性体１３とを有する第２の結合体１１とを設けた。【選択図】        図１
2010207463.tif 000002
【特許請求の範囲】
【請求項１】
手を挿入する挿入口と該挿入口に一端が連続するスリットが形成され面ファスナーが設けられた手袋本体と、
前記手袋本体のスリットが形成された部分から突出され面ファスナーが設けられた締付片とを備え、
一方の前記面ファスナーに取り付けられる面ファスナー部とマグネットとを有する第１の結合体と、
他方の前記面ファスナーに取り付けられる面ファスナー部と前記マグネットに吸着されて結合される磁性体とを有する第２の結合体とを設けた
ことを特徴とするゴルフ用手袋。
【請求項２】
手を挿入する挿入口と該挿入口に一端が連続するスリットが形成された手袋本体と、
前記手袋本体のスリットが形成された部分から突出された締付片とを備え、
前記手袋本体又は前記締付片の一方にマグネットが取り付けられ、
前記手袋本体又は前記締付片の他方に前記マグネットに吸着されて結合される磁性体が取り付けられた
ことを特徴とするゴルフ用手袋。
【請求項３】
手を挿入する挿入口と該挿入口に一端が連続するスリットが形成され面ファスナーが設けられた手袋本体と、前記手袋本体のスリットが形成された部分から突出され面ファスナーが設けられた締付片とを備えたゴルフ用手袋の前記各面ファスナーに取り付けられる結合具であって、
一方の前記面ファスナーに結合される面ファスナー部とマグネットとを有する第１の結合体と、
他方の前記面ファスナーに結合される面ファスナー部と前記マグネットに吸着されて結合される磁性体とを有する第２の結合体とによって構成された
ことを特徴とする結合具。
【発明の詳細な説明】
【技術分野】
【０００１】
本発明はゴルフ用手袋及び結合具に関する。詳しくは、マグネットと磁性体を結合させて締付片を手袋本体から取り外すときの雑音の発生を防止する技術分野に関する。
【背景技術】
【０００２】
ゴルフの練習や競技会等のプレーにおいて、手に装着してゴルフクラブを握るためのゴルフ用手袋がある。ゴルフ用手袋はゴルフクラブを握る手を保護すると共にゴルフクラブを手で確実に握るために、スイング時に、手に装着するものである。
【０００３】
このようなゴルフ用手袋は、一般に、スリットを有する手袋本体と該手袋本体のスリットが形成された部分から突出された締付片とを有し、手袋本体と締付片にそれぞれ面ファスナーが設けられている（例えば、特許文献１参照）。
【０００４】
ゴルフ用手袋を手に装着するときには、使用者は、手袋本体の挿入口から手を挿入し、続いて、締付片を把持して手袋本体の面ファスナー側へ引っ張り、締付片の面ファスナーを手袋本体の面ファスナーに結合して手首の付近を締め付けるようにする。
【０００５】
ゴルフ用手袋は、ゴルフクラブのスイング時にはゴルフクラブを握るために必要であるが、スイングを行わないときには不必要である。従って、ゴルフ用手袋を必要としないときには、使用者は締付片を把持して面ファスナーを手袋本体の面ファスナーから引き剥がし、手から取り外す。
【０００６】
このようなゴルフ用手袋の手に対する装着及び取り外しは、特に、競技会等のプレー中に頻繁に行われることが多い。
【０００７】
【特許文献１】特開２００６−３０５１８５号公報
【発明の開示】
【発明が解決しようとする課題】
【０００８】
ところが、特許文献１に記載されたゴルフ用手袋においては、手袋本体の面ファスナーと締付片の面ファスナーを結合することにより手首に装着するため、締付片の面ファスナーを手袋本体の面ファスナーから引き剥がすときに音が発生する。
【０００９】
従って、締付片の面ファスナーを手袋本体の面ファスナーから引き剥がすときに発生する音が、他の競技者にとって、特に、ゴルフクラブのスイング時に耳障りな雑音となってしまい、他の競技者のプレーを妨げるおそれがある。
【００１０】
そこで、本発明ゴルフ用手袋及び結合具は、締付片を手袋本体から取り外すときの雑音の発生を防止することを課題とする。
【課題を解決するための手段】
【００１１】
ゴルフ用手袋は、上記した課題を解決するために、手を挿入する挿入口と該挿入口に一端が連続するスリットが形成され面ファスナーが設けられた手袋本体と、前記手袋本体のスリットが形成された部分から突出され面ファスナーが設けられた締付片とを備え、一方の前記面ファスナーに取り付けられる面ファスナー部とマグネットとを有する第１の結合体と、他方の前記面ファスナーに取り付けられる面ファスナー部と前記マグネットに吸着されて結合される磁性体とを有する第２の結合体とを設けたものである。
【００１２】
別のゴルフ用手袋は、上記した課題を解決するために、手を挿入する挿入口と該挿入口に一端が連続するスリットが形成された手袋本体と、前記手袋本体のスリットが形成された部分から突出された締付片とを備え、前記手袋本体又は前記締付片の一方にマグネットが取り付けられ、前記手袋本体又は前記締付片の他方に前記マグネットに吸着されて結合される磁性体が取り付けられたものである。  結合具は、上記した課題を解決するために、手を挿入する挿入口と該挿入口に一端が連続するスリットが形成され面ファスナーが設けられた手袋本体と、前記手袋本体のスリットが形成された部分から突出され面ファスナーが設けられた締付片とを備えたゴルフ用手袋の前記各面ファスナーに取り付けられ、一方の前記面ファスナーに結合される面ファスナー部とマグネットとを有する第１の結合体と、他方の前記面ファスナーに結合される面ファスナー部と前記マグネットに吸着されて結合される磁性体とを有する第２の結合体とによって構成されたものである。
【００１３】
結合具は、手を挿入する挿入口と該挿入口に一端が連続するスリットが形成され面ファスナーが設けられた手袋本体と、前記手袋本体のスリットが形成された部分から突出され面ファスナーが設けられた締付片とを備えたゴルフ用手袋の前記各面ファスナーに取り付けられ、一方の前記面ファスナーに結合される面ファスナー部とマグネットとを有する第１の結合体と、他方の前記面ファスナーに結合される面ファスナー部と前記マグネットに吸着されて結合される磁性体とを有する第２の結合体とによって構成されたものである。
【００１４】
従って、ゴルフ用手袋及び結合具にあっては、締付片を手袋本体から取り外すときにマグネットと磁性体の結合が解除される。
【発明の効果】
【００１５】
本発明ゴルフ用手袋は、手を挿入する挿入口と該挿入口に一端が連続するスリットが形成され面ファスナーが設けられた手袋本体と、前記手袋本体のスリットが形成された部分から突出され面ファスナーが設けられた締付片とを備え、一方の前記面ファスナーに取り付けられる面ファスナー部とマグネットとを有する第１の結合体と、他方の前記面ファスナーに取り付けられる面ファスナー部と前記マグネットに吸着されて結合される磁性体とを有する第２の結合体とを設けたことを特徴とする。
【００１６】
別の本発明ゴルフ用手袋は、手を挿入する挿入口と該挿入口に一端が連続するスリットが形成された手袋本体と、前記手袋本体のスリットが形成された部分から突出された締付片とを備え、前記手袋本体又は前記締付片の一方にマグネットが取り付けられ、前記手袋本体又は前記締付片の他方に前記マグネットに吸着されて結合される磁性体が取り付けられたことを特徴とする。
【００１７】
本発明結合具は、手を挿入する挿入口と該挿入口に一端が連続するスリットが形成され面ファスナーが設けられた手袋本体と、前記手袋本体のスリットが形成された部分から突出され面ファスナーが設けられた締付片とを備えたゴルフ用手袋の前記各面ファスナーに取り付けられる結合具であって、一方の前記面ファスナーに結合される面ファスナー部とマグネットとを有する第１の結合体と、他方の前記面ファスナーに結合される面ファスナー部と前記マグネットに吸着されて結合される磁性体とを有する第２の結合体とによって構成されたことを特徴とする。
【００１８】
従って、本発明ゴルフ用手袋及び結合具にあっては、マグネットと磁性体が結合されるため、締付片を手袋本体から引き剥がすときに耳障りな雑音の発生を防止することができる。
【発明を実施するための最良の形態】
【００１９】
以下に、本発明ゴルフ用手袋及び結合具を実施するための最良の形態について添付図面を参照して説明する。
【００２０】
ゴルフ用手袋１は、例えば、皮革や合成皮革によって形成され、手袋本体２と該手袋本体２から突出された締付片３とから成る（図１及び図２参照）。
【００２１】
手袋本体２は手の甲が挿入される手甲挿入部４と該手甲挿入部４に連続された五つの指挿入部５、５、・・・とから成る。
【００２２】
手甲挿入部４の一端には手を挿入するための挿入口４ａが形成されている。手甲挿入部４には一端が挿入口４ａに連続されたスリット４ｂが形成され、該スリット４ｂの延びる方向が挿入口４ａの周方向に略直交する方向とされている。
【００２３】
指挿入部５、５、・・・には手の各指が挿入される。指挿入部５、５、・・・にはそれぞれ空気孔５ａ、５ａ、・・・が形成されている。
【００２４】
手甲挿入部４にはスリット４ｂの側方に面ファスナー６が設けられている。面ファスナー６は雄型又は雌型の何れでもよい。
【００２５】
締付片３は手甲挿入部４のスリット４ｂが形成された部分から突出されている。締付片３は、例えば、面ファスナー６と略同じ形状及び大きさに形成され、一方の面に面ファスナー７が設けられている。面ファスナー７は、面ファスナー６が雄型の場合には雌型とされ、面ファスナー６が雌型の場合には雄型とされている。
【００２６】
締付片３の面ファスナー７には第１の結合体８が取り付けられる。第１の結合体８は板状又はシート状に形成され、外形状が面ファスナー７の外形状以下の大きさに形成されている。第１の結合体８は包装部９と該包装部９の内部に配置されたマグネット１０とから成る。
【００２７】
包装部９は、例えば、布製、紙製又は樹脂製であり、一方の面に面ファスナー部９ａを有している。面ファスナー部９ａは面ファスナー７が雄型の場合には雌型とされ、面ファスナー７が雌型の場合には雄型とされている。
【００２８】
マグネット１０は、例えば、円形状に形成されている。但し、マグネット１０の形状は円形状に限られることはなく、例えば、矩形状や楕円形状等の任意の形状に形成することができる。
【００２９】
第１の結合体８は面ファスナー部９ａが締付片３の面ファスナー７に取り付けられる。
【００３０】
手袋本体２の面ファスナー６には第２の結合体１１が取り付けられる。第２の結合体１１は板状又はシート状に形成され、外形状が面ファスナー６の外形状以下の大きさに形成されている。第２の結合体１１は包装部１２と該包装部１２の内部に配置された磁性体１３とから成る。
【００３１】
包装部１２は、例えば、布製、紙製又は樹脂製であり、一方の面に面ファスナー部１２ａを有している。面ファスナー部１２ａは面ファスナー６が雄型の場合には雌型とされ、面ファスナー６が雌型の場合には雄型とされている。
【００３２】
磁性体１３はマグネット１０に吸着されるものであればよく、例えば、金属板やマグネット等の磁性を有する任意の材料が用いられている。磁性体１３は、例えば、矩形状に形成されている。但し、磁性体１３の形状は矩形状に限られることはなく、例えば、円形状や楕円形状等の任意の形状に形成することができる。
【００３３】
第２の結合体１１は面ファスナー部１２ａが手袋本体２の面ファスナー６に取り付けられる。
【００３４】
上記のように構成されたゴルフ用手袋１において、使用者は、手袋本体２の挿入口４ａから手を挿入して各指をそれぞれ指挿入部５、５、・・・に挿入し、続いて、締付片３を把持して手袋本体２の面ファスナー６側へ引っ張る。次いで、締付片３の面ファスナー７に取り付けられた第１の結合体８を手袋本体２の面ファスナー６に取り付けられた第２の結合体１１に結合し、手首の付近を締め付けるようにして手に装着する。第１の結合体８と第２の結合体１１の結合は、第２の結合体１１に設けられた磁性体１３が第１の結合体８に設けられたマグネット１０に吸着されることにより行われる。
【００３５】
逆に、ゴルフ用手袋１を手から取り外すときには、使用者は、締付片３を把持して第１の結合体８を第２の結合体１１から引き剥がし、挿入口４ａから手を引き出す。第１の結合体８が第２の結合体１１から引き剥がされるときには、マグネット１０と磁性体１３の結合が解除されるだけであるので、雑音が発生しない。
【００３６】
尚、上記には、面ファスナー７、６以下の大きさの矩形状に形成された面ファスナー７、６を用いた例を示したが、以下に示すように、それぞれ面ファスナー７、６と同じ形状及び大きさの第１の結合体８Ａ及び第２の結合体１１Ａを形成して用いることもできる（図３及び図４参照）。
【００３７】
第１の結合体８Ａ及び第２の結合体１１Ａを形成する場合には、板状又はシート状の結合具１４を用いる。結合具１４は、第１の結合体８Ａ′と第２の結合体１１Ａ′によって構成され、第１の結合体８Ａ′と第２の結合体１１Ａ′はそれぞれ面ファスナー７、６以上の大きさに形成されている（図３参照）。
【００３８】
第１の結合体８Ａ′は包装部９Ａ′とマグネット１０Ａから成り、包装部９Ａ′の一方の面に面ファスナー部９ｂ′が形成されている。マグネット１０Ａは包装部９Ａ′の内部において接着等により固定されている。
【００３９】
第２の結合体１１Ａ′は包装部１２Ａ′と磁性体１３Ａから成り、包装部１２Ａ′の一方の面に面ファスナー部１２ｂ′が形成されている。磁性体１３Ａは包装部１２Ａ′の内部において接着等により固定されている。
【００４０】
これらの第１の結合体８Ａ′と第２の結合体１１Ａ′をそれぞれ鋏やカッター等の切断用治具１００によってそれぞれ面ファスナー７、６と同じ形状及び大きさになるように切断し（図４参照）、包装部９Ａとマグネット１０Ａから成る第１の結合体８Ａ及び包装部１２Ａと磁性体１３Ａから成る第２の結合体１１Ａを形成する。
【００４１】
第１の結合体８Ａと第２の結合体１１Ａはそれぞれ面ファスナー７、６に全体を閉塞するようにして取り付けられ、ゴルフ用手袋１Ａが形成される。
【００４２】
上記のように、第１の結合体８Ａ′と第２の結合体１１Ａ′によって構成された結合具１４を用いることにより、締付片３の面ファスナー７及び手袋本体２の面ファスナー６の形状及び大きさに合わせた第１の結合体８Ａ及び第２の結合体１１Ａを形成することができるため、利便性の向上を図ることができる。
【００４３】
また、結合具１４を用いた場合には、第１の結合体８Ａによって面ファスナー７の全体が閉塞され、第２の結合体１１Ａによって面ファスナー６の全体が閉塞されるため、面ファスナー６と面ファスナー７が誤って結合されることがなく、締付片３を手袋本体２から引き剥がすときに雑音を発生することがない。
【００４４】
尚、上記には、切断用治具１００によってそれぞれ面ファスナー７、６と同じ形状及び大きさになるように切断して形成した第１の結合体８Ａと第２の結合体１１Ａを例として示したが、第１の結合体８Ａと第２の結合体１１Ａは形状及び大きさを任意の形状及び大きさにすることができる。
【００４５】
但し、第１の結合体８Ａと第２の結合体１１Ａの少なくとも一方を面ファスナー７、６と同じ形状及び大きさになるように切断して形成することにより、第１の結合体８Ａ又は第２の結合体１１Ａによって面ファスナー７又は面ファスナー６の少なくとも一方が閉塞されるため、面ファスナー６と面ファスナー７が誤って結合されることがなく、締付片３を手袋本体２から引き剥がすときの雑音の発生を回避することができる。
【００４６】
上記には、包装部９、９Ａとマグネット１０、１０Ａを有し包装部９、９Ａの一方の面に面ファスナー部９ａ、９ｂが形成された第１の結合体８、８Ａ及び包装部１２、１２Ａと磁性体１３、１３Ａを有し包装部１２、１２Ａの一方の面に面ファスナー部１２ａ、１２ｂが形成された第２の結合体１１、１１Ａを例として示したが、第１の結合体と第２の結合体はこのような例に限られることはない。
【００４７】
例えば、第１の結合体は包装部が設けられておらずマグネットの一方の面に面ファスナー部が形成されたものであってもよく、また、第２の結合体も包装部が設けられておらず磁性体の一方の面に面ファスナー部が形成されたものであってもよい。
【００４８】
また、上記には、面ファスナー６、７を有するゴルフ用手袋１に第１の結合体８、８Ａ及び第２の結合体１１、１１Ａを取り付けて用いる例を示したが、例えば、図５に示すように、予め第１の結合体８Ｂと第２の結合体１１Ｂがそれぞれ締付片３と手袋本体２に設けられているゴルフ用手袋１Ｂを形成してもよい。
【００４９】
第１の結合体８Ｂは包装部９Ｂとマグネット１０から成り、第２の結合体１１Ｂは包装部１２Ｂと磁性体１３Ｂから成る。
【００５０】
このように予め第１の結合体８Ｂと第２の結合体１１Ｂをそれぞれ締付片３と手袋本体２に設けることにより、第１の結合体８、８Ａと第２の結合体１１、１１Ａをそれぞれ面ファスナー７、６に取り付ける手間がなくなり、利便性の向上を図ることができる。また、手袋本体２と締付片３に面ファスナー６、７を設ける必要がなくなるため、製造コストの低減を図ることができる。
【００５１】
尚、マグネット１０、１０Ａ、１０Ｂと磁性体１３、１３Ａ、１３Ｂの一方を他方に対して、手首の付近を締め付けるときに締付片３を引っ張る方向（図６及び図７に示すＰ方向）へ長く形成することが望ましい。このようにすることにより、図６及び図７に示すように、マグネット１０、１０Ａ、１０Ｂと磁性体１３、１３Ａ、１３Ｂの結合位置を長手方向（Ｐ方向）に任意に変更することが可能となり、手首の付近の締付具合を必要に応じて任意に容易に変更することができる。
【００５２】
また、上記には、マグネット１０、１０Ａ、１０Ｂを有する第１の結合体８、８Ａ、８Ｂと磁性体１３、１３Ａ、１３Ｂを有する第２の結合体１１、１１Ａ、１１Ｂを示したが、逆に、第１の結合体に磁性体を設けて締付片３に貼り付け、第２の結合体にマグネットを設けて手袋本体２に貼り付けるようにしてもよい。
【００５３】
以上に記載した通り、ゴルフ用手袋１、１Ａ、１Ｂ及び結合具１４にあっては、マグネット１０、１０Ａ、１０Ｂと磁性体１３、１３Ａ、１３Ｂが結合されるため、締付片３を手袋本体２から引き剥がすときに耳障りな雑音の発生を防止することができる。従って、他の競技者のプレー中に締付片３を手袋本体２から引き剥がしても、他の競技者のプレーの妨げを回避することができる。
【００５４】
尚、上記したゴルフ用手袋１、１Ａ、１Ｂはマグネット１０、１０Ａ、１０Ｂを有しているため、手から取り外した状態において、ズボンのベルト等の磁性材料によって形成されている金属部分、例えば、バックル等にマグネット１０、１０Ａ、１０Ｂによって取り付けることが可能である。
【００５５】
また、例えば、磁性材料によって形成された取付部を有するホルダーをズボンやベルト等の任意の位置に装着し、取付部にマグネット１０、１０Ａ、１０Ｂを取り付けるようにすることも可能である。
【００５６】
このようにマグネット１０、１０Ａ、１０Ｂによってゴルフ用手袋１、１Ａ、１Ｂを身に付けることにより、ゴルフ用手袋１、１Ａ、１Ｂを手から外す度にポケット等にしまい込む必要がなく、また、取付部に対する取付及び取外しも容易であるため、使い勝手の向上を図ることができる。また、プレー中におけるゴルフ用手袋１、１Ａ、１Ｂの紛失も防止することができる。
【００５７】
上記した最良の形態において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【００５８】
【図１】図２乃至図７と共に本発明の最良の形態を示すものであり、本図は第１の結合体と第２の結合体を面ファスナーに取り付ける前の状態を示す斜視図である。
【図２】第１の結合体と第２の結合体を面ファスナーに取り付けた状態を示す背面図である。
【図３】結合具を切断し面ファスナーと同じ形状及び大きさの第１の結合体と第２の結合体を形成している状態を示す斜視図である。
【図４】結合具を切断して形成した第１の結合体と第２の結合体を面ファスナーに取り付ける前の状態を示す斜視図である。
【図５】予め第１の結合体と第２の結合体が設けられているゴルフ用手袋を示す斜視図である。
【図６】図７と共にマグネットと磁性体の結合位置が変更される状態を示すものであり、本図は、手首の付近の締め付け方を緩くした状態を示す拡大断面図である。
【図７】手首の付近の締め付け方をきつくした状態を示す拡大断面図である。
【符号の説明】
【００５９】
１…ゴルフ用手袋、２…手袋本体、３…締付片、４ａ…挿入口、４ｂ…スリット、６…面ファスナー、７…面ファスナー、８…第１の結合体、９ａ…面ファスナー部、１０…マグネット、１１…第２の結合体、１２ａ…面ファスナー部、１３…磁性体、１４…結合具、１Ａ…ゴルフ用手袋、８Ａ…第１の結合体、９ｂ…面ファスナー部、１０Ａ…マグネット、１１Ａ…第２の結合体、１２Ａ…包装部、１２ｂ…面ファスナー部、１３Ａ…磁性体、１Ｂ…ゴルフ用手袋、８Ｂ…第１の結合体、１０Ｂ…マグネット、１１Ｂ…第２の結合体、１２Ｂ…包装部、１３Ｂ…磁性体
【図１】
2010207463.tif 000003
【図２】
2010207463.tif 000004
【図３】
2010207463.tif 000005
【図４】
2010207463.tif 000006
【図５】
2010207463.tif 000007
【図６】
2010207463.tif 000008
【図７】
2010207463.tif 000009
【手続補正書】
【提出日】平成21年4月6日(2009.4.6)
【手続補正１】
【補正対象書類名】明細書
【補正対象項目名】００１２
【補正方法】変更
【補正の内容】
【００１２】
別のゴルフ用手袋は、上記した課題を解決するために、手を挿入する挿入口と該挿入口に一端が連続するスリットが形成された手袋本体と、前記手袋本体のスリットが形成された部分から突出された締付片とを備え、前記手袋本体又は前記締付片の一方にマグネットが取り付けられ、前記手袋本体又は前記締付片の他方に前記マグネットに吸着されて結合される磁性体が取り付けられたものである。
【手続補正２】
【補正対象書類名】明細書
【補正対象項目名】００１３
【補正方法】変更
【補正の内容】
【００１３】
結合具は、上記した課題を解決するために、手を挿入する挿入口と該挿入口に一端が連続するスリットが形成され面ファスナーが設けられた手袋本体と、前記手袋本体のスリットが形成された部分から突出され面ファスナーが設けられた締付片とを備えたゴルフ用手袋の前記各面ファスナーに取り付けられ、一方の前記面ファスナーに結合される面ファスナー部とマグネットとを有する第１の結合体と、他方の前記面ファスナーに結合される面ファスナー部と前記マグネットに吸着されて結合される磁性体とを有する第２の結合体とによって構成されたものである。